(57)【特許請求の範囲】
【請求項１】
引き出しの前面板の前面に取付けられる正面板に設けた凹入孔の上方を手掛け空間とし、この手掛け空間内にラッチレバーを取付けるようにした引き出しの正面板における把手装置において、
前記手掛け空間内のラッチレバーを取り除いた状態で、この手掛け空間と前記凹入孔との境界部を、キャップをもって閉塞してなり、かつ前記キャップの前部に、撓み溝を介して、正面板の後面に当接し得る受止片を設けてなる引き出し把手装置。
【請求項２】
キャップは、引き出しの正面板の裏面に当接するべき前部上向当接片と、引き出しの前面板の前面と、その上端における前向水平片に当接するべき後部上向当接片を備えることを特徴とする請求項１記載の引き出し把手装置。
【請求項３】
キャップは、手掛け空間の後縁に嵌着するように、その後部下端に、下方を向く段状係合溝を有する請求項１または２に記載の引き出し把手装置。
【請求項４】
キャップは、その両端部に、手掛け空間の両側に当接しうる翼片を有する請求項１〜３のいずれかに記載の引き出し把手装置。
【発明の詳細な説明】
【０００１】
【発明の属する技術分野】
本発明は、引き出しの前面板の前面に取付けられる正面板における把手装置に関する。
【０００２】
【従来の技術】
引き出しの前面板の前面に取付けられる正面板には、通常、手指を挿入するための凹入孔が設けられ、その上方は手掛け空間とされている。
【０００３】
この手掛け空間内にはラッチレバーが装着されているが、ラッチレバーが不要で、これを取り除いたときには、使用者は指を傷つけたり、不快感を受けたりする。
【０００４】
しかし、ラッチレバー装着用とラッチレバーなし用との２種類の正面板を製作するとコスト高を招く。特に正面板を合成樹脂をもって一体成形したものにおいては、高価な２種の金型を必要とすることになり不経済である。
【０００５】
【発明が解決しようとする課題】
本発明は、以上のような欠点を解消し、ラッチレバーを装着し得るようにした引き出しの正面板を、そのまま、ラッチレバーのないものに対応させられるようにした引き出し正面板における把手装置を提供することを目的とする。
【０００６】
【課題を解決するための手段】
本発明によると、上記の課題は、次のようにして、解決される。
(１)引き出しの前面板の前面に取付けられる正面板に設けた凹入孔の上方を手掛け空間とし、この手掛け空間内にラッチレバーを取付けるようにした引き出しの正面板における把手装置において、前記手掛け空間内のラッチレバーを取り除いた状態で、この手掛け空間と前記凹入孔との境界部を、キャップをもって閉塞してなり、かつ前記キャップの前部に、撓み溝を介して、正面板の後面に当接し得る受止片を設ける。
(２)上記(１)項において、キャップは、引き出しの正面板の裏面に当接するべき前部上向当接片と、引き出しの前面板の前面と、その上端における前向水平片に当接するべき後部上向当接片を備えている。
(３)上記(１)あるいは(２)項において、キャップは、手掛け空間の後縁に嵌着するように、その後部下端に、下方を向く段状係合溝を有する。
(４)上記(１)〜(３)項のいずれかにおいて、キャップは、その両端部に、手掛け空間の両側に当接しうる翼片を有する。
【０００７】
【発明の実施の形態】
図１は、本発明の把手装置が嵌合された引き出し正面板(１)の平面図である。なお正面板(１)は、図１で示す引き出し(２)の前面板(２ａ)の前面に嵌合して、適宜係止されるものである。図２に示すように、正面板(１)の中央部要所に、左右方向を向く切れ目線(１ａ)を設け、その下方および上方は手掛け空間(１ｃ)となっている。
【０００８】
この手掛け空間(１ｃ)内には、通常ラッチレバー(Ｌ)が枢着されている。
【０００９】
しかし、本発明においては、手掛け空間(１ｃ)内にはラッチレバー(Ｌ)は設けられておらず、手掛け空間(１ｃ)と凹入板(１ｂ)との境界部は、キャップ(３)で閉塞されている。
【００１０】
キャップ(３)は、上向き凹入する指先案内部(３ａ)の前側に、上面から切り込んだ撓み溝(３ｂ)を介して垂直の受止片(３ｃ)を連設し、かつ指先案内部(３ａ)の後縁に後下方を向く係合段部(３ｄ)を、また、受止片(３ｃ)の下端に前方を向く係合縁(３ｅ)を形成し、さらに、指先案内部(３ａ)の上面前部および後部に、それぞれ、複数の上向当接片(３ｆ)(３ｇ)を突設したものである。
【００１１】
両上向当接片(３ｆ)(３ｇ)の間は、空間(４)となっている。
【００１２】
なお、前部上向当接片(３ｆ)は前向鉤形にをなし、正面板(１)の後面上端部およびそれと一体である後向水平片(１ｄ)の両方に当接し、前方および上方に対して移動できなくなっている。また後部上向当接片(３ｇ)は、上向き鉤形にするが望ましい。
【００１３】
キャップ(３)は、適度の弾性を有する合成樹脂を一体成形してなり、これを、前記手掛け空間(１ｃ)内へ嵌入することにより、前記受止片(３ｃ)を正面板(１)の後面に当接させるとともに、その下方の係合縁(３ｅ)を切れ目線(１ａ）の下縁に、また、係合段部(３ｄ)を、凹入孔(１ｂ)の後部上面前部の角に係止させ、さらに、前部上向当接片(３ｆ)を、正面板(１)の後面上端部と、それに続く後向水平片(１ｄ)とに当接させる。
【００１４】
これにより、キャップ(３)は、それ自身の有する弾性と撓み溝(３ｂ)の存在により、正面板(１)から、妄りに、外れたり動いたりすることのないように取り付けられる。
【００１５】
しかして、図２に示すように、正面板(１)を引き出し(２)の前面板(２ａ)の前面に適宜係止させて取付けたとき、キャップ(３)における後部上向当接片(３ｇ)は、前面板(２ａ)の前面と、その上端における前向水平片(２ｂ)に当接して、キャップ(３)を動きを完全に阻止するようにしてある。
【００１６】
手掛け空間(１ｃ)は、図１に示すように、正面板(１)の中央部要所に、左右方向の切れ目線(１ａ)を設け、その箇所だけ、正面板(１)の一部を凹入させて、凹入部(１ｅ)を形成することにより、手掛け空間(１ｃ)を形成してある。(１ｆ)は、手掛け空間(１ｃ)の側端部を示す。本発明によるキャップ(３)の側端には、手掛け空間(１ｃ)の側端部(１ｆ)には、当接する翼片(３ｈ)が突設されている。
【００１７】
図３と図４は、それぞれ、本発明によるキャップ(３)の正面図と平面図である。キャップ(３)を、引き出し正面板(１)の手掛け空間(１ｃ)の裏側からキャップを挿入し嵌合させるときには、前記翼片(３ｈ)は、挿入嵌合のストッパーとして働らく。すなわち、翼片(３ｈ)は、手掛け空間(１ｃ)の側端部(１ｆ)に当接する。
【００１８】
【発明の効果】
本発明の引き出し把手装置では、次のような効果を奏する。
(１)ラッチレバー装着が不要のときにも、不快感を与えず、ラッチレバー装着用とラッチレバーなし用の２種類の正面板を、製作する必要がなく、ラッチレバー装着用の引き出し正面板をそのままでラッチレバーないものに対応でき、簡単にラッチレバー付きと無しとの正面板を選択することができる。その結果、把手装置の製品を安価にすることができる。
(２)キャップの一部の最も力がかかる部分は、撓み溝を介して設けてあるので、把手部に手を掛けたときに、反発力が小さくて、引き出し感覚が良く、スムーズに引き出せ、指に優しい感覚を持つことができる。
(３)引き出しにしっかりと取着されるので、ガタがなく、使用感覚が良好である。
(４)容易にラッチレバーあり引き出しから、ラッチレバーなしの引き出しに替えることができる。
(５)把手装置は、後部でもガタがなく、強度よく嵌着される。
(６)取着したキャップは容易に外れることはない。
【図面の簡単な説明】
【図１】  本発明の把手装置を備える引き出し正面板の平面図である。
【図２】  図１のII−II線における縦断側面図である。
【図３】  本発明によるキャップの正面図である。
【図４】  本発明によるキャップの平面図である。
【符号の説明】
(１)  引き出し正面板
(１ａ)  切れ目線
(１ｂ)  凹入孔
(１ｃ)  手掛け空間
(１ｄ)  後向水平片
(１ｅ)  凹入部
(１ｆ)  手掛け空間の側端部
(２)    引き出し
(２ａ)  前面板
(２ｂ)  前向水平片
(３)    キャップ
(３ａ)  指先案内部
(３ｂ)  撓み溝
(３ｃ)  受止片
(３ｄ)  係合段部
(３ｅ)  係合縁
(３ｆ) 前部上向当接片
(３ｇ) 後部上向当接片
(３ｈ)  翼片
(４)    空間
(Ｌ)    ラッチレバー（想像線）
【図１】
0003640046.tif 000002
【図２】
0003640046.tif 000003
【図３】
0003640046.tif 000004
【図４】
0003640046.tif 000005